(57)【特許請求の範囲】
【請求項１】
帯状に形成されるとともに、パチンコ玉を１個ずつ受け入れて揚送可能とする複数の保留部が幅方向に複数列でかつ各列毎に長手方向に整列して形成された帯状体と、
この帯状体を張設して、前記保留部にパチンコ玉を受け入れる上向きの張設域であるパチンコ玉受入部域および保留部に受け入れたパチンコ玉を揚送する上下方向の張設域であるパチンコ玉計数部域を方向変換部を介して形成し、その帯状体をパチンコ玉受入部域側からパチンコ玉計数部域側へ回動させる帯状体回動手段と、
前記パチンコ玉受入部域から前記方向変換部にかけて設けられ、前記帯状体の保留部をその幅方向の各列毎に対応して区画する複数の仕切板と、
前記パチンコ玉計数部域に対応して設けられ、前記各保留部内のパチンコ玉の有無を検知するパチンコ玉計数手段と
を具備していることを特徴とするパチンコ玉計数装置。
【請求項２】
帯状に形成されるとともに、パチンコ玉を１個ずつ受け入れて揚送可能とする複数の保留部が幅方向に複数列でかつ各列毎に長手方向に整列して形成された帯状体と、
この帯状体を張設して、前記保留部にパチンコ玉を受け入れる上向きの張設域であるパチンコ玉受入部域および保留部に受け入れたパチンコ玉を揚送する上下方向の張設域であるパチンコ玉計数部域を方向変換部を介して形成し、その帯状体をパチンコ玉受入部域側からパチンコ玉計数部域側へ回動させる帯状体回動手段と、
前記方向変換部に対応して設けられ、前記帯状体の保留部をその幅方向の各列毎に対応して区画するとともに帯状体の回動方向に対応して揺動可能に支持された複数の仕切板と、
前記パチンコ玉計数部域に対応して設けられ、前記各保留部内のパチンコ玉の有無を検知するパチンコ玉計数手段と
を具備していることを特徴とするパチンコ玉計数装置。
【請求項３】
帯状体は、無端状の平ベルトと、この平ベルトの外周表面に突設されパチンコ玉を１個ずつ保留して揚送可能とする保留部と、この保留部の位置に対応して平ベルトに開口形成されたセンサ孔とを有し、
帯状体回動手段は、前記帯状体のパチンコ玉受入部域とパチンコ玉計数部域との間に方向変換部を形成し、
仕切板は、前記方向変換部において前記平ベルトの外周表面に接触して方向変換をガイドする
ことを特徴とする請求項１記載のパチンコ玉計数装置。
【請求項４】
パチンコ玉計数手段は、
帯状体を挟んで対向配置され、各保留部を通じてセンサ光を投受光する複数の投受光センサと、
前記帯状体の回動を検知し、前記投受光センサで保留部を検知するタイミングをとるタイミング検知手段とを備えている
ことを特徴とする請求項１ないし３いずれか記載のパチンコ玉計数装置。
【発明の詳細な説明】
【０００１】
【発明の属する技術分野】
本発明は、多数のパチンコ玉を計数するパチンコ玉計数機に使用されるパチンコ玉計数装置に関し、特に、低い位置で受け入れたパチンコ玉を高い位置へ揚送する必要があるパチンコ玉計数機に好適なパチンコ玉計数装置に関する。
【０００２】
【従来の技術】
従来、パチンコ玉計数機はパチンコホールのカウンター等に設置され、所定の高さを有するカウンター等の上に載置されていた。そして、遊技者が獲得したパチンコ玉をそのホールに設置されているパチンコ玉収容箱（以下、玉箱という）に入れてカウンター等に持参し、そこに設置されているパチンコ玉計数機のホッパへパチンコ玉を流し込むようにしている。パチンコ玉計数機の中に流し込まれたパチンコ玉は傾斜状に設けられたレール上を自重により転動しつつ複数列に整列された状態でフォトセンサにより計数される。
【０００３】
また、例えば、実開昭６１−５４８８５号公報または特開平８−２１５４１２号に記載されているように、玉箱とパチンコ玉計数機に工夫をし、パチンコ玉が入った玉箱をパチンコ玉計数機のホッパの上に載せるだけで、玉箱の底面または側面が開口され、玉箱をひっくり返さなくともパチンコ玉計数機のホッパの中へパチンコ玉が流出するようにしたものも提案されている。
【０００４】
一方、最近では遊技者が獲得するパチンコ玉の量が多くなり、一度に複数の玉箱をカウンター等の計数機が載置されている場所まで運搬しなければならなくなったために、玉箱の運搬に玉箱を重ねて載置できるパチンコ玉運搬用台車が使用されている。
【０００５】
【発明が解決しようとする課題】
しかしながら、前述した従来のパチンコ玉計数機と玉箱およびパチンコ玉運搬用台車を使用した運用方法では、玉箱をパチンコ玉運搬用台車で運搬してきても、パチンコ玉が入った重い玉箱をカウンター等の上に載置されているパチンコ玉計数機のホッパの位置まで手作業により持ち上げなければならず、多大な労力が必要であり、操作性が悪い問題がある。
【０００６】
そこで、本出願人が特願平８−１３０３１６号（公知ではない）に出願しているように、パチンコ玉運搬用台車で運搬してきた玉箱をパチンコ玉運搬用台車ごと装填するだけで自動的に玉箱内のパチンコ玉を排出させて揚送装置の保留部に１個ずつ受け入れて上方へ揚送し、従来のパチンコ玉計数機へ供給することができるパチンコ玉運搬用台車およびパチンコ玉計数機を考案し、操作性を改善するようにした。
【０００７】
しかし、玉箱から排出されたパチンコ玉を揚送装置によって一旦上方へ揚送した後に従来の自重により整列させて計数するパチンコ玉計数装置へ供給して計数するため、玉箱から排出されてから計数されるまでの時間が長くかかり、全てのパチンコ玉が玉箱から排出されても計数がなかなか終了しないというタイムラグが大きかった。さらに、残り少なくなったパチンコ玉が保留部へ納まらずに動き回ることにより、計数終了までの時間が長引くことがあった。
【０００８】
本発明は、このような点に鑑みなされたもので、下方位置で受け入れたパチンコ玉を揚送しつつ計数することにより、パチンコ玉を受け入れてから計数するまでのタイムラグを少くでき、しかも、パチンコ玉の保留部への納まりをよくでき、特に、残り少なくなったパチンコ玉が保留部へ納まらずに計数に時間がかかるのを防止できるパチンコ玉計数装置を提供することを目的とする。
【０００９】
【課題を解決するための手段】
請求項１記載のパチンコ玉計数装置は、帯状に形成されるとともに、パチンコ玉を１個ずつ受け入れて揚送可能とする複数の保留部が幅方向に複数列でかつ各列毎に長手方向に整列して形成された帯状体と、この帯状体を張設して、前記保留部にパチンコ玉を受け入れる上向きの張設域であるパチンコ玉受入部域および保留部に受け入れたパチンコ玉を揚送する上下方向の張設域であるパチンコ玉計数部域を方向変換部を介して形成し、その帯状体をパチンコ玉受入部域側からパチンコ玉計数部域側へ回動させる帯状体回動手段と、前記パチンコ玉受入部域から前記方向変換部にかけて設けられ、前記帯状体の保留部をその幅方向の各列毎に対応して区画する複数の仕切板と、前記パチンコ玉計数部域に対応して設けられ、前記各保留部内のパチンコ玉の有無を検知するパチンコ玉計数手段とを具備しているものである。
【００１０】
幅方向に複数列の保留部が形成された帯状体をパチンコ玉受入部域からパチンコ玉計数部域に回動させ、パチンコ玉受入部域において複数列の各保留部にパチンコ玉を１個ずつ受け入れ、パチンコ玉計数部域において複数列の各保留部内のパチンコ玉の有無をパチンコ玉計数手段で検知する。したがって、下方位置で受け入れたパチンコ玉を複数列一度に揚送しつつ計数し、パチンコ玉を受け入れて計数するまでのタイムラグを少なくするとともに、多量のパチンコ玉でも計数に要する時間を短縮する。しかも、パチンコ玉受入域から方向変換部にかけて設けた複数の仕切板によって複数列の保留部をその各列毎に対応して区画することにより、パチンコ玉受入部域からパチンコ玉計数部域に姿勢を変える帯状体の複数列の保留部へのパチンコ玉の納まりをよくし、特に、残り少なくなったパチンコ玉が保留部へ納まらずに計数に時間がかかるのを防止可能となる。
【００１１】
請求項２記載のパチンコ玉計数装置は、帯状に形成されるとともに、パチンコ玉を１個ずつ受け入れて揚送可能とする複数の保留部が幅方向に複数列でかつ各列毎に長手方向に整列して形成された帯状体と、この帯状体を張設して、前記保留部にパチンコ玉を受け入れる上向きの張設域であるパチンコ玉受入部域および保留部に受け入れたパチンコ玉を揚送する上下方向の張設域であるパチンコ玉計数部域を方向変換部を介して形成し、その帯状体をパチンコ玉受入部域側からパチンコ玉計数部域側へ回動させる帯状体回動手段と、前記方向変換部に対応して設けられ、前記帯状体の保留部をその幅方向の各列毎に対応して区画するとともに帯状体の回動方向に対応して揺動可能に支持された複数の仕切板と、前記パチンコ玉計数部域に対応して設けられ、前記各保留部内のパチンコ玉の有無を検知するパチンコ玉計数手段とを具備しているものである。
【００１２】
幅方向に複数列の保留部が形成された帯状体をパチンコ玉受入部域からパチンコ玉計数部域に回動させ、パチンコ玉受入部域において複数列の各保留部にパチンコ玉を１個ずつ受け入れ、パチンコ玉計数部域において複数列の各保留部内のパチンコ玉の有無をパチンコ玉計数手段で検知する。したがって、下方位置で受け入れたパチンコ玉を複数列一度に揚送しつつ計数し、パチンコ玉を受け入れて計数するまでのタイムラグを少なくするとともに、多量のパチンコ玉でも計数に要する時間を短縮する。しかも、方向変換部に対応して設けた複数の仕切板によって複数列の保留部をその各列毎に対応して区画することにより、パチンコ玉受入部域からパチンコ玉計数部域に姿勢を変える帯状体の複数列の保留部へのパチンコ玉の納まりをよくし、特に、残り少なくなったパチンコ玉が保留部へ納まらずに計数に時間がかかるのを防止し、さらに、仕切板が帯状体の回動方向に対応して揺動可能とすることにより、パチンコ玉の噛み込みや詰まりなどを防止するとともにパチンコ玉の保留部への納まりを円滑にする。
【００１３】
請求項３記載のパチンコ玉計数装置は、請求項１記載のパチンコ玉計数装置において、帯状体は、無端状の平ベルトと、この平ベルトの外周表面に突設されパチンコ玉を１個ずつ保留して揚送可能とする保留部と、この保留部の位置に対応して平ベルトに開口形成されたセンサ孔とを有し、帯状体回動手段は、前記帯状体のパチンコ玉受入部域とパチンコ玉計数部域との間に方向変換部を形成し、仕切板は、前記方向変換部において前記平ベルトの外周表面に接触して方向変換をガイドするものである。
【００１４】
帯状体として低コストで構成することができる平ベルトを用いるため、パチンコ玉計数装置全体の低コスト化が可能となる。
【００１５】
請求項４記載のパチンコ玉計数装置は、請求項１ないし３いずれか記載のパチンコ玉計数装置において、パチンコ玉計数手段は、帯状体を挟んで対向配置され、各保留部を通じてセンサ光を投受光する複数の投受光センサと、前記帯状体の回動を検知し、前記投受光センサで保留部を検知するタイミングをとるタイミング検知手段とを備えているものである。
【００１６】
タイミング検知手段でとられるタイミングに合わせて、投受光センサが透光状態、遮光状態のいずれにあるか確認することにより、各保留部内のパチンコ玉の有無を容易に検知する。
【００１７】
【発明の実施の形態】
以下、本発明の実施の形態を図面を参照して説明する。
【００１８】
図１ないし図６に第１の実施の形態を示す。
【００１９】
図６はパチンコ玉収容箱の分解状態の斜視図を示す。
【００２０】
パチンコ玉収容箱（以下、玉箱という）１は、収容箱本体２とシャッタ板３とを備えている。
【００２１】
収容箱本体２は、底板４、長手方向の相対向する端板５、長手方向と直交する短手方向の相対向する側板６とから、上面を開口した横長箱状に形成されている。
【００２２】
底板４は中央域の中央底板4aと長手方向の両側域の側部底板4bとを備え、この中央底板4aと両側部底板4bとの間にパチンコ玉の排出孔７がそれぞれ開口形成されている。両側部底板4bは排出孔７に向けて傾斜するように形成されている。
【００２３】
端板５および側板６の上端周縁にはフランジ部８が突出形成され、一方の相対向する端板５のフランジ部８の中央部分には取手９が突出形成されている。
【００２４】
端板５および側板６は上側部分が外側に傾斜して広がる形状に形成され、収容箱本体２の下部を他の収容箱本体２の上方から挿入して、収容箱本体２同士を積み重ね可能になっている。端板５の外面には取手９の両側に縦方向にリブ状の一対の突起部5aが突出形成されているとともに、側板６の外面には後述する作動部材挿入孔12の両側に縦方向にリブ状の一対の突起部6aが突出形成されている。そして、これら突起部5a，6aが収容箱本体２の側面の補強部および収容箱本体２の積み重ね時の規制部を兼ねている。
【００２５】
側板６の内面の下側中央域には肉厚部10が突出形成され、この肉厚部10の上面には収容箱本体２の内方へ少し傾斜する係合段部11が形成され、この係合段部11上に積み重ねられる収容箱本体２の底部が載るようになっている。
【００２６】
肉厚部10には、中央域に収容箱本体２の底部から上方に向けて垂直方向に沿って縦長孔状の作動部材挿入孔12が形成されているとともに、この作動部材挿入孔12の両側で収容箱本体２の底面位置に略水平方向に沿って一対の横長孔13が形成されている。作動部材挿入孔12は、側板６を貫通して形成されるとともに中央底板4aの一部を貫通して形成されており、この作動部材挿入孔12の幅はパチンコ玉の直径より小さい幅寸法に形成されている。
【００２７】
側板６の内面の上側中央域すなわち作動部材挿入孔12の上方には、肉厚部10の係合段部11から収容箱本体２の上縁部にかけてリブ状の作動部材14が突出形成されている。この作動部材14は、収容箱本体２同士を積み重ねた際に１段上の収容箱本体２の作動部材挿入孔12に進入可能になっている。
【００２８】
また、シャッタ板３は、略同じ大きさの２枚の板体21を備え、この板体21の連結側の縁部が互いに噛み合うようにジグザグ状に形成され、互いに噛み合った部分を貫通する軸22によって屈曲可能に一体的に連結されている。
【００２９】
軸22の略中央位置には、シャッタ板３の収容箱本体２への取付状態においてシャッタ板３の屈曲部23が広がる方向に付勢してシャッタ板３により排出孔７を実質的に閉塞させるトグルばねにて構成されるばね部材24が取り付けられている。軸22の両端部は板体21の端面から所定長突出され、その両端部に四角形状の係合軸部25が取り付けられ、各板体21の両端面外縁側には円柱状の凸部26が突出形成されている。
【００３０】
そして、玉箱１のシャッタ板３の開閉動作を説明する。
【００３１】
シャッタ板３の両端の係合軸部25が収容箱本体２の作動部材挿入孔12に摺動可能に係合されるとともに、各板体21の両端の凸部26が各横長孔13に摺動可能に係合される。ばね部材24によってシャッタ板３が広がる方向に付勢され、シャッタ板３により排出孔７が実質的に閉塞されている状態で、玉箱１内にパチンコ玉を収容できる。
【００３２】
玉箱１の作動部材挿入孔12に作動部材14あるいは後述する作動部材42が挿入されて上方に相対的に移動すると、これら作動部材14，42で作動部材挿入孔12内のシャッタ板３の係合軸部25が押し上げられる。これら作動部材14，42で作動部材挿入孔12に沿って係合軸部25が押し上げられるシャッタ板３は、屈曲部23で２枚の板体21が屈曲しながらその屈曲部23を先頭に上方へ移動されるとともに、各板体21の凸部26が横長孔13に沿って中央方向に相対向して接近するように移動され、各排出孔７が開放される。そのため、開放される各排出孔７から玉箱１内に収容されたパチンコ玉が下方へ排出される。
【００３３】
また、玉箱１の作動部材挿入孔12から作動部材14，42が下方に相対的に移動すると、作動部材14，42によるシャッタ板３の係合軸部25の押し上げが解除され、ばね部材24による２枚の板体21の屈曲が広がる方向への付勢により、各板体21の凸部26が横長孔13に沿って外側へ相反して離反移動するとともに、屈曲部23が下方へ移動し、シャッタ板３により排出孔７が実質的に閉塞される。
【００３４】
また、玉箱１は、収容箱本体２を上側部分が広がる形状にして収容箱本体２同士を積み重ね可能にしているため、収容箱本体２同士を積み重ねて保管することができる。しかも、収容箱本体２の積み重ね時には、上側の収容箱本体２の作動部材挿入孔12に下側の収容箱本体２の作動部材14が進入して係合軸部25を押し上げ、上側の収容箱本体２のシャッタ板３を開放するため、収容箱本体２同士を積み重ねて使用することもできる。つまり、後述するパチンコ玉運搬用台車31上に１つめの玉箱１を置き、さらにその上側に２つめの玉箱１を置いておけば、下側の玉箱１のパチンコ玉の排出に伴って上側の玉箱１が下降して積み重ねられるとともに、上側の玉箱１のシャッタ板３が自動的に開放されてパチンコ玉が排出される。
【００３５】
次に、図１はパチンコ玉計数機およびパチンコ玉運搬用台車の一部を切り欠いた断面図、図２はパチンコ玉計数機およびパチンコ玉運搬用台車の断面図である。
【００３６】
図１および図２において、31はパチンコ玉運搬用台車（以下、台車という）で、この台車31は、前後方向（図中左右方向）に縦長に形成された台車本体32を有し、この台車本体32の四隅に走行用の車輪33が取り付けられているとともに、後部にハンドル34が立設されている。
【００３７】
台車本体32の上部には、玉箱１の下部を嵌合する玉箱載置部35が形成されている。この玉箱載置部35の左右両側には、玉箱１の両側の側板６の位置を規制して位置決め可能とする位置に一対の保持部材36が立設されている。この各保持部材36の上縁には、玉箱１の両側の各突起部6aが嵌合する一対の保持凹部37がそれぞれ形成されているとともに、この各保持凹部37の両縁に各保持凹部37へ向けて傾斜して各突起部6aを誘導する傾斜誘導部38が形成されている。
【００３８】
玉箱載置部35の底面中央には開口部39が形成され、この開口部39の下側には玉箱１のシャッタ板３の開放により排出孔７から開口部39に排出されるパチンコ玉Ｐを受け入れるシュート部材40が配設され、このシュート部材40によりパチンコ玉Ｐが前方へ導かれる。台車本体32の走行方向の前面には放出口41が形成され、この放出口41からシュート部材40により前方へ導かれるパチンコ玉Ｐが放出される。
【００３９】
玉箱載置部35の各保持部材36の内側中央位置には、作動部材14と同様にリブ状の作動部材42がそれぞれ上下動可能に配設されている。この各作動部材42は、玉箱載置部35に載置された玉箱１の作動部材挿入孔12に挿入可能とし、その挿入時にシャッタ板３を開放させる。
【００４０】
台車本体32内の両側には、作動部材42より前側位置において、伝達レバー43が支点軸44を中心として揺動可能に軸支されている。この伝達レバー43の後端が作動部材42に連結され、前端が台車本体32の前側上面に開口された係合孔45に臨ませられている。係合孔45に臨む伝達レバー43の前端は、後述するパチンコ玉計数機71側から駆動力を受ける駆動受部46として構成されている。そして、この伝達レバー43の揺動に伴って作動部材42が上下動される。また、伝達レバー43の後端側が前端側より重い重量バランスに形成されるとともに後端側に作動部材42の重量が加わるため、駆動受部46に駆動力を受けていないときには、伝達レバー43が図１時計回り方向に回動されるとともに作動部材42が下降される。
【００４１】
次に、図１および図２において、71はパチンコ玉計数機で、このパチンコ玉計数機71は、縦形の計数機本体72を有し、この計数機本体72の両側から前方（図中右方向）に一対の台車ガイド73が突出され、この両台車ガイド73間に台車31を装填可能とする台車装填部74が形成されている。一対の台車ガイド73の対向間隔は台車31の台車本体32の幅より少し広い程度に形成され、台車31の台車本体32の装填を許容するとともに台車31の台車本体32の幅方向を位置決め規制する。
【００４２】
計数機本体72の前面下部には、台車装填部74に装填される台車31の台車本体32の前面が当接して、その台車31の装填方向の位置を位置決め規制する規制面75が形成されている。この規制面75には台車31の放出口41の位置に対応してその放出口41から放出されるパチンコ玉Ｐを受け入れる受入口76が形成され、この受入口76の下縁に後述するパチンコ玉計数装置101にパチンコ玉Ｐを導くシュート板77が配設されている。
【００４３】
また、計数機本体72の下部には、台車装填部74に装填される台車31を係止するとともに台車31上の玉箱１のシャッタ板３を開放させる作動装置78が配設されている。この作動装置78は、作動体79を有し、この作動体79は、両側にレバー部80を有する略コ字形に形成され、その両側のレバー部80の先端側が両側の台車ガイド73に進入配置されるとともに、両側のレバー部80の先端部が台車装填部74に装填された台車31側の伝達レバー43の支点軸44と同軸上になる位置で台車ガイド73側に回動自在に軸支されている。
【００４４】
作動体79の両側のレバー部80には、一対の作動レバー81が取り付けられている。この作動レバー81の先端側は計数機本体72の前面の開口82を通じて前方に突出され、その先端部には下方に略Ｌ字形に屈曲する係合部83が形成されている。係合部83は、台車装填部74に装填される台車31の各係合孔45の位置に対応して配置され、作動体79の支点（支点軸44に対応する）を中心とする円弧状に形成されている。計数機本体72の前面には各作動レバー81の下面を除く周囲を覆うカバー84が取り付けられている。
【００４５】
作動体79にはアーム部85が突設され、このアーム部85にモータ86からの駆動力を伝達する駆動力伝達手段87が接続配置されている。この駆動力伝達手段87は、ラック（ラックギヤ）88およびピニオン（ピニオンギヤ）89を有し、ラック88の一端はアーム部85に支軸90によって回動可能すなわちピニオン89に対して係脱可能に軸支されるとともにばね91によってピニオン89に係合（噛合）する方向に付勢され、ピニオン89は定位置でモータ86によって回転駆動される。したがって、駆動力伝達手段87は、ラック88とピニオン89とを係脱可能に構成するとともに噛み合い方向にばね付勢して駆動力伝達負荷が所定値以上になったときに駆動力の伝達を解除するリミッタ手段92を備えている。そして、モータ86の正転駆動または逆転駆動により、作動体79が図１および図２に実線で示す上昇位置、図１および図２に２点鎖線で示す下降位置に揺動される。作動体79の上昇位置および下降位置は上昇検知用センサ93aおよび下降検知用センサ93bでそれぞれ検知されて、それらセンサ93a，93bの検知により対応する回転方向へのモータ86の駆動が停止される。
【００４６】
ラック88の他端には手動操作レバー94が取り付けられ、この手動操作レバー94の位置に対応して計数機本体72の前面に扉95で開閉される操作用開口部96が形成されている。そして、操作用開口部96を通じて手動操作レバー94を手動操作することにより、ラック88をピニオン89から外して作動体79を任意に可動させることができる。
【００４７】
そして、作動体79が上方に揺動されている状態で、作動レバー81の係合部83は台車31の台車本体32の上方に位置し、台車装填部74に対する台車31の挿脱が許容され、また、台車装填部74に台車31が装填された状態で、作動体79が下方に揺動されると、作動レバー81の係合部83が台車本体32の係合孔45に進入し、伝達レバー43を押し下げて玉箱１のシャッタ板３を開放するとともに、台車31を台車装填部74に係止する。
【００４８】
また、計数機本体72内にはパチンコ玉計数装置101が配設されている。このパチンコ玉計数装置101は、帯状でかつ無端状に形成された帯状体102およびこの帯状体102を張設する帯状体回動手段103を有している。
【００４９】
帯状体回動手段103により、帯状体102には、下部の略水平状態のパチンコ玉受入部域104、下部から上方に延びる略垂直状態のパチンコ玉計数部域105、上部で方向変換するパチンコ玉放出部域106が形成され、帯状体102のパチンコ玉受入部域104側からパチンコ玉計数部域105側に向けて、すなわち図１および図２において反時計回り方向に回動される。
【００５０】
帯状体102のパチンコ玉受入部域104の上方域には台車31側から受入口76およびシュート板77を通じて放出されるパチンコ玉Ｐを受け入れる受入空間107が形成されている。受入空間107の両側には、受入空間107の両側面を閉塞する側板108が配設されている。そして、受入空間107において帯状体102の後述する保留部材113の保留部120にパチンコ玉Ｐが保留され、帯状体102に保留されたパチンコ玉Ｐがパチンコ玉計数部域105を通じて揚送されてパチンコ玉放出部域106で放出される。
【００５１】
パチンコ玉計数部域105のパチンコ玉受入部域104に近い下部近傍には帯状体102に保留されて揚送されるパチンコ玉Ｐを計数するパチンコ玉計数手段109が配設されている。
【００５２】
パチンコ玉放出部域106に臨んで帯状体102から放出されるパチンコ玉Ｐを受け取る放出部110が形成されている。放出部110には計数機本体72の後方に突出する排出シュート111が配設され、この排出シュート111はパチンコ玉Ｐを回収する図示しないパチンコ玉回収部に接続される。
【００５３】
図３に帯状体102の一部の正面図を示し、図４に帯状体102の側面図（パチンコ玉計数手段の説明図）を示し、この帯状体102は、幅方向両側に配置される無端状のチェーン112、この両側のチェーン112間に沿って連結される複数の保留部材113によって構成されている。各チェーン112は、一対の内側リンク114aと一対の外側リンク114bとが交互に軸115で回動自在に連結され、それらリンク114a，114bのうちの２つおきのリンク114a，114bには帯状体102の外周側に突出して保留部材113が取り付けられる取付部116が形成されている。
【００５４】
保留部材113は、チェーン112の長手方向と交差する幅方向に横長に形成され、両端にチェーン112の取付部116にボルト117とナット118により取り付けられる取付片部119が形成されている。保留部材113の両端の取付片部119間には、パチンコ玉Ｐを１個ずつ保留する複数の保留部120が形成されている。したがって、帯状体102としては、複数の保留部120が帯状体102の幅方向に複数列でかつ各列毎に長手方向に沿って整列して形成されている。
【００５５】
各保留部120は、基部121およびこの基部121との間にパチンコ玉Ｐを１個ずつ保留する受部122により形成されている。この受部122は、帯状体102の回動方向と反対側の基部121の縁部から略直角に折曲形成された底部123、および底部123から略直角に折曲形成されて基部121に対向される対向部124を有し、各保留部120の位置に対応して底部123から対向部124にかけて溝部125が形成されている。底部123および対向部124の下部側の溝部125の幅はパチンコ玉Ｐの直径より狭く形成され、対向部124の上部側の溝部125の幅はパチンコ玉Ｐの直径より広く形成されている。そして、保留部120に保留されるパチンコ玉Ｐは、基部121と、底部123と、溝部125の両側の対向部124の下部側との間に係合して保留される。なお、対向部124は、保留部120の並列方向へのパチンコ玉Ｐの位置を規制する仕切部として兼用される。
【００５６】
基部121には、各保留部120の位置に対応して後述する投受光センサ141のセンサ光が通るセンサ孔126が形成されている。対向部124の溝部125の上部側でかつ帯状体102の回動方向に隣接する保留部材113との間には、センサ孔126に対向されるとともに各保留部120に対してパチンコ玉Ｐが１個ずつ出入可能とする開口部127が形成されている。
【００５７】
また、図１および図２において、帯状体回動手段103は、帯状体102の両側の各チェーン112の位置に対応して回転自在に軸支された下部のスプロケット131，132および上部のスプロケット133を有し、これらスプロケット131〜133に各チェーン112が掛け回されている。受入空間107の両側板108の外側には、帯状体102の両側の各チェーン112の部分の外周に接触してパチンコ玉受入部域104からパチンコ玉計数部域105に方向転換させるゴムローラ134が回転自在に配設されている。放出部110の排出シュート111の両側には、帯状体102の両側の各チェーン112の部分の外周に接触してパチンコ玉放出部域106をパチンコ玉計数部域105と反対方向に略１８０度以上方向転換させるゴムローラ135が回転自在に配設されている。
【００５８】
両側の上部のスプロケット133は、一体的に回転するように同軸上に連結され、モータ136によって帯状体102が図１および図２中反時計回り方向に回転するように駆動される。
【００５９】
また、図４において、パチンコ玉計数手段109は、帯状体102の保留部材113の各保留部120を通じてセンサ光を投受光する複数の投受光センサ141を有するとともに、帯状体102の回動を検知して投受光センサ141で保留部120を検知するタイミングをとるタイミング検知手段142を有している。
【００６０】
投受光センサ141は、帯状体102を挟んで対向配置される投光器143と受光器144を有し、これら投光器143および受光器144は、保留部材113の各センサ孔126の位置に対応してセンサブロック145，146に一体的に設けられている（図３参照）。
【００６１】
タイミング検知手段142は、周縁に複数（４つ）のスリット147が等間隔に形成された検知板148を有し、この検知板148がチェーン112に係合するスプロケット149に同軸に取り付けられ、検知板148の周縁両側に臨んで図示しない投光器および受光器を対向させたフォトセンサ150が配設されている。
【００６２】
また、図１ないし図３において、受入空間107において、帯状体102のパチンコ玉受入部域104（パチンコ玉受入部域104とパチンコ玉計数部域105との間の方向変換部151を含む）に対応して、帯状体102の保留部120をその幅方向の各列毎に対応して区画することによりパチンコ玉Ｐを各列毎の保留部120に案内する複数の仕切板152が配設されている。
【００６３】
この複数の仕切板152は、後部側がゴムローラ134の軸134aの周囲に係合するパイプにて構成される連結部材153で一体的に連結されているとともに、前端が連結部材154で一体的に連結されている。複数の仕切板152の間にはパチンコ玉Ｐの直径より大きい間隙のパチンコ玉受入間隙部155が形成され、各仕切板152の上縁には前方に向けて下降傾斜するガイド縁部156が形成されている。各仕切板152の下縁は、帯状体102のパチンコ玉受入部域104から方向変換部151に沿って、保留部材113の対向部124とパチンコ玉Ｐの直径より小さい間隔で対向する対向縁部157が形成されている。したがって、複数の仕切板152によって帯状体102の保留部120をその幅方向の各列毎に対応して区画している。
【００６４】
また、図１および図２において、計数機本体72の上部には操作パネル161が配設され、この操作パネル161には、計数スタートを指示するスタート釦、計数ストップを指示するストップ釦、パチンコ玉計数値などを表示する表示部などが配設されている。
【００６５】
また、計数機本体72の前面上部寄り位置には窓162が形成され、この窓162に透明板163が閉塞配置されているとともに、窓162の内側には帯状体102の前面との間に囲枠164が配置されている。これにより、計数機本体72の前方から透明板163を通じて、帯状体102の保留部120に保留されて揚送されるパチンコ玉Ｐの様子を視認できる。
【００６６】
なお、パチンコ玉計数機71を制御する図示しない制御部を備え、この制御部では、パチンコ玉計数手段109によりパチンコ玉Ｐの有無を判断し、パチンコ玉Ｐが有りの場合にカウンタで個数をカウントさせる機能を有する。
【００６７】
次に、本実施の形態の作用を説明する。
【００６８】
計数時以外の通常時には、台車31の作動部材42は下降位置に位置されるとともに伝達レバー43は駆動受部46が係合孔45に上昇進入する揺動位置に位置され、かつ、パチンコ玉計数機71の作動レバー81は上昇位置に位置されている。
【００６９】
図１および図２に示すように、台車31の玉箱載置部35にパチンコ玉Ｐを収容した玉箱１が載置される。場合によっては、この１段目の玉箱１の上に、同様にパチンコ玉Ｐを収容した２段目および３段目の玉箱１がそれぞれ載置される。２段目および３段目の玉箱１は、下段の玉箱１に収容されたパチンコ玉Ｐ上に載置される。
【００７０】
玉箱１を載置した台車31を走行させて、パチンコ玉計数機71の台車装填部74に台車31の前面側から装填する。台車装填部74の両側の台車ガイド73によって台車31の台車本体32の幅方向の位置が位置決め規制される。
【００７１】
台車31を台車装填部74の最も奥側まで装填すると、台車本体32の前面が計数機本体72の規制面75に当接され、台車本体32の前面の放出口41が規制面75の受入口76に連通される。
【００７２】
計数処理を開始させるために、操作パネル161のスタート釦が押されると、モータ86が駆動され、ピニオン89とラック88との噛合を介してラック88が下降されるとともに、作動体79および両側の作動レバー81が下方に揺動される。これら両側の作動レバー81の係合部83が台車31の両側の係合孔45に進入され、台車31が台車装填部74に係止される。さらに、台車31の両側の係合孔45に進入する両側の作動レバー81の係合部83で両側の伝達レバー43の駆動受部46が押し下げられ、台車31の両側の作動部材42が上昇され、この両側の作動部材42が台車31に載置された１段目の玉箱１の両側の作動部材挿入孔12に進入され、作動部材挿入孔12内のシャッタ板３の係合軸部25が押し上げられ、シャッタ板３が開放される。
【００７３】
なお、台車31が正しい装填位置に装填されていない場合には、作動レバー81の係合部83は係合孔45に進入せずに台車本体32の上面に当接し、玉箱１のシャッタ板３は開放されない。このとき、ラック88とピニオン89との駆動力伝達負荷が所定値以上になると、ラック88がばね付勢に抗してピニオン89から離反する方向に回動して、ラック88とピニオン89との噛み合いが解除されるため、台車31が台車装填部74の所定位置に装填されていなかったり、あるいは作動レバー81が動作不能状態にあっても、モータ86や駆動力伝達手段87等の損傷を防止できる。
【００７４】
シャッタ板３の開放により、排出孔７が開放され、玉箱１内のパチンコ玉Ｐが、排出孔７から下方に流出され、シュート部材40を通じて放出口41から計数機本体72側の受入口76に放出され、シュート板77を通じて受入空間107に導かれ、複数の仕切板152間のパチンコ玉受入間隙部155を通じて帯状体102の略水平状態のパチンコ玉受入部域104上に導かれ、帯状体102の保留部120に１個ずつ受け入れられる。このとき、複数の仕切板152は帯状体102の保留部120をその幅方向の各列毎に対応して区画しているため、パチンコ玉Ｐの保留部120への納まりをよくできる。特に、残り少なくなったパチンコ玉Ｐが保留部120へ納まらずに計数に時間がかかるのを防止できる。
【００７５】
また、操作パネル161のスタート釦が押された時点で、モータ136が駆動されており、受入空間107内のパチンコ玉Ｐが、複数の仕切板152間を通じて帯状体102のパチンコ玉受入部域104に導かれるとともに、そのパチンコ玉受入部域104で帯状体102に保留されてパチンコ玉計数部域105に搬送されていく。すなわち、帯状体102のパチンコ玉受入部域104においては、各保留部材113の各保留部120の開口部127が上方に臨んでおり、この開口部127を通じてパチンコ玉Ｐが１個ずつ各保留部120に落下して受け入れられる。各保留部120にパチンコ玉Ｐが受け入れられると、受け入れられたパチンコ玉Ｐで別のパチンコ玉Ｐの保留部120への進入が規制される。
【００７６】
パチンコ玉Ｐを受け入れた保留部材113が略水平状態のパチンコ玉受入部域104から略垂直状態のパチンコ玉計数部域105に移動されていくと、各保留部120の開口部127が側方に向くが、各保留部120内に受け入れられた１個のパチンコ玉Ｐは保留された状態を保ち、保留部120に受け入れられずに保留部材113とともにパチンコ玉計数部域105に移動されたパチンコ玉Ｐは落下して受入空間107内に戻される。
【００７７】
パチンコ玉計数部域105では、図４に示すように、パチンコ玉計数手段109により、タイミング検知手段142でとられるタイミングに合わせて、投受光センサ141が透光状態、遮光状態のいずれにあるか確認し、各保留部120内のパチンコ玉Ｐの有無が検知される。
【００７８】
すなわち、図５に示すように、投受光センサ141の出力は、パチンコ玉Ｐが保留されている保留部材113が通過する間（図５のＡ領域）が遮光状態となり、隣接する保留部材113，113の間隙部分が通過する間（図５のＢ領域）が透光状態となる。さらに、パチンコ玉Ｐが保留されていない保留部材113が通過する間において、センサ孔126の部分が通過する間（図５のＣ領域）が透光状態となる。一方、フォトセンサ150の出力は、帯状体102の回動に伴って回転する検知板148の縁部で遮光となり、スリット147の部分で透光状態（図５のＤ領域）となる。そして、フォトセンサ150の出力が透光状態となるとき、投受光センサ141が保留部材113のセンサ孔126に対向するタイミングとなり、投受光センサ141が遮光状態にあればパチンコ玉Ｐは有りとし、透光状態であればパチンコ玉Ｐは無しとする。
【００７９】
そして、制御部では、パチンコ玉Ｐの有無が判断され、パチンコ玉Ｐが有りの場合にカウンタで個数をカウントする。パチンコ玉Ｐの計数状況は操作パネル161の表示部に表示される。
【００８０】
なお、パチンコ玉計数手段109で計数されたパチンコ玉Ｐが帯状体102のパチンコ玉計数部域105を揚送される状態は、透明板163を通じて計数機本体72の前方から視認できる。
【００８１】
パチンコ玉計数手段109で計数されてパチンコ玉計数部域105を揚送されるパチンコ玉Ｐは、パチンコ玉放出部域106で各保留部120から放出部110に放出される。すなわち、上方へ移動していた保留部材113が下方へ向けて方向変換する際に、遠心力の作用により各保留部120内のパチンコ玉Ｐが開口部127を通じて放出される。さらに、パチンコ玉計数部域105に対して略１８０度以上方向変換して下方に向く状態においては、重力の作用が加わり、保留部120内の遠心力の作用で放出されないようなパチンコ玉Ｐが確実に放出される。
【００８２】
放出部110で放出されたパチンコ玉Ｐは、排出シュート111を通じてパチンコ玉回収部に排出される。
【００８３】
そして、台車31に載置された１段目の玉箱１内のパチンコ玉Ｐが流出してその収容量が減少していくと、この１段目の玉箱１のパチンコ玉Ｐ上に載置されている２段目の玉箱１が下降していく。これにより、２段目の玉箱１の作動部材挿入孔12に１段目の玉箱１の作動部材14が進入して、２段目の玉箱１のシャッタ板３が開放される。そのため、２段目の玉箱１の排出孔７が開放され、２段目の玉箱１に収容されたパチンコ玉Ｐが、排出孔７から下方の１段目の玉箱１に流出し、この１段目の玉箱１を通じて、前述と同様に、計数機本体72に導かれて計数される。
【００８４】
さらに、２段目の玉箱１内のパチンコ玉Ｐが流出してその収容量が減少していくと、この２段目の玉箱１のパチンコ玉Ｐ上に載置されている３段目の玉箱１が下降していき、２段目の玉箱１と同様に、３段目の玉箱１に収容されたパチンコ玉Ｐが２段目の玉箱１および１段目の玉箱１を通じて計数機本体72に導かれて計数される。
【００８５】
このように、１段目、２段目および３段目の玉箱１の順にパチンコ玉Ｐが順次排出されるとともにパチンコ玉計数機71に導かれて計数される。
【００８６】
また、計数完了後に操作パネル161のストップ釦が押されると、モータ86がスタート操作時とは逆方向に駆動され、ピニオン89とラック88との噛合を介してラック88が上昇されるとともに、作動体79および両側の作動レバー81が上方に揺動され、これら両側の作動レバー81の係合部83が台車31の両側の係合孔45から上方に退避される。そのため、台車31の両側の伝達レバー43の駆動受部46の押し下げが解除され、台車31の両側の作動部材42が下降される。作動レバー81の係合部83が台車31の係合孔45から上方に退避されると、パチンコ玉計数機71に対する台車31の係止が解除されるので、台車31を後退させて台車装填部74から外すことができる。
【００８７】
また、パチンコ玉Ｐの計数中に停電あるいは詰まり等によって動作不能状態になり、台車31をパチンコ玉計数機71から外せなくなった場合には、計数機本体72の前面の扉95を開放し、操作用開口部96を通じて手動操作レバー94を手前に引き寄せることにより、ラック88をピニオン89から離反させて駆動伝達手段87の駆動力伝達経路を切断し、さらに、手動操作レバー94を上方へ引き上げて、作動レバー81を上方へ移動させれば、作動レバー81による台車31の係止を解除でき、復旧作業を容易に行なえる。
【００８８】
以上のように、パチンコ玉計数機71の台車装填部74に、台車31で搬送してきた玉箱１を台車31ごと装填するだけで、自動的に玉箱１内のパチンコ玉Ｐを排出させてパチンコ玉計数機71で計数させることができ、そのため、重い玉箱１を持ち上げる必要がなく、多量のパチンコ玉Ｐであっても容易に計数できる。さらに、複数の玉箱１からパチンコ玉Ｐを順次排出してパチンコ玉Ｐの計数に要する処理時間を短時間にできる。
【００８９】
また、帯状体102をパチンコ玉受入部域104からパチンコ玉計数部域105に回動させ、パチンコ玉受入部域104において複数の保留部120にパチンコ玉Ｐを１個ずつ受け入れ、パチンコ玉計数部域105において各保留部120内のパチンコ玉Ｐの有無をパチンコ玉計数手段109で検知するため、下方位置で受け入れたパチンコ玉Ｐを揚送しつつ計数でき、パチンコ玉Ｐを受け入れて計数するまでのタイムラグを少くできる。しかも、複数の仕切板152によって帯状体102の保留部120をその幅方向の各列毎に対応して区画するため、パチンコ玉Ｐの保留部120への納まりをよくでき、特に、残り少なくなったパチンコ玉Ｐが保留部120へ納まらずに計数に時間がかかるのを防止できる。
【００９０】
また、タイミング検知手段142でとられるタイミングに合わせて、投受光センサ141が透光状態、遮光状態のいずれにあるか確認することにより、各保留部120内のパチンコ玉Ｐの有無を簡単に検知できる。
【００９１】
また、パチンコ玉計数機71は、台車31の放出口41から放出されるパチンコ玉Ｐを揚送してパチンコ玉計数手段109で計数するため、台車31の低い位置から放出されるパチンコ玉Ｐの計数を行なえ、すなわち台車31の台車本体32の高さを低くでき、特に玉箱１を複数段に高く積み上げた状態での運搬時における安定性を確保できる。
【００９２】
また、パチンコ玉計数機71側に台車31上の玉箱１のシャッタ板３を開放させる駆動源を備えることにより、台車31側には特別な駆動源を必要とせず、台車31を簡素化できるとともに安価に構成できる。
【００９３】
なお、台車31の作動部材42を動かすために、パチンコ玉計数機71側から台車31側に駆動力の作用を与えていたが、台車31に作動部材42を動かすモータやソレノイドなどの電気駆動手段を設け、パチンコ玉計数機71側から台車31側に給電するようにしてもよい。この場合、台車31をパチンコ玉計数機71の台車装填部74に装填することにより、台車31側の電気接点とパチンコ玉計数機71側の電気接点とが接合する構造とし、パチンコ玉計数機71側から台車31側に給電するように構成する。また、台車31自体に作動部材42を動かすペダルやレバーなどの手動操作部を設け、手動操作によりパチンコ玉Ｐの排出を任意に行なえるようにしてもよい。
【００９４】
次に、図７に第２の実施の形態を示す。
【００９５】
なお、第１の実施の形態と同一構造については同一符号を用いてその説明を省略する。そして、第１の実施の形態と同様の作用効果を有している。
【００９６】
図７はパチンコ玉計数機71の帯状体102のパチンコ玉受入部域104の一部の側面図である。
【００９７】
この第２の実施の形態では、複数の仕切板152は、方向変換部151に対応して配設されるもので、扇状に形成されて連結部材153で一体的に連結され、この連結部材153がゴムローラ134の軸134aに回動自在に係合されることにより、揺動可能に支持されている。この仕切板152の回動領域内にはストッパ171が配置され、仕切板152の揺動範囲が規制されている。通常、仕切板152は、図７に実線で示すように、仕切板152の自重により下降してストッパ171に当接した定位置に位置される。なお、この仕切板152は、第１の実施の形態と同様に、帯状体102の保留部120をその幅方向の各列毎に対応して区画する。
【００９８】
そして、パチンコ玉Ｐの計数処理時には、パチンコ玉受入部域104に受け入れられたパチンコ玉Ｐが、複数の仕切板152間（パチンコ玉受入間隙部155）を通じて帯状体102の保留部120に１個ずつ受け入れられる。
【００９９】
このとき、複数の仕切板152は帯状体102の保留部120をその幅方向の各列毎に対応して区画しているため、パチンコ玉Ｐの保留部120への納まりをよくできる。特に、残り少なくなったパチンコ玉Ｐが保留部120へ納まらずに計数に時間がかかるのを防止できる。
【０１００】
さらに、仕切板152が帯状体102の回動方向に対応して揺動可能であるため、パチンコ玉受入部域104に多量のパチンコ玉Ｐが受け入れられても、パチンコ玉Ｐの噛み込みや詰まりなどを防止できるとともに、パチンコ玉Ｐの保留部120への納まりを円滑にできる。
【０１０１】
次に、図８および図９に第３の実施の形態を示す。
【０１０２】
なお、第１の実施の形態と同一構造については同一符号を用いてその説明を省略する。そして、第１の実施の形態と同様の作用効果を有している。
【０１０３】
図８はパチンコ玉計数機71の帯状体102のパチンコ玉受入部域104の一部の側面図、図９(a)は帯状体102のパチンコ玉計数部域105の一部の斜視図、図９(b)は帯状体102のパチンコ玉計数部域105の一部の側面図である。
【０１０４】
この第３の実施の形態では、帯状体102が、可撓性を有する無端状の平ベルト181を有するもので、この平ベルト181の外周表面にはパチンコ玉Ｐを１個ずつ保留して揚送可能とする複数の保留部120が配設されている。なお、この平ベルト181は、第１の実施の形態と同様に、平ベルト181の両側縁部をチェーン112に連結して回動させるように構成してもよいし、あるいは、チェーン112を用いず、第１の実施の形態のスプロケット131〜133を平ベルト181をガイドするローラに代えることで回動させるように構成してもよい。
【０１０５】
保留部120は、平ベルト181の回動方向すなわち揚送方向に対して平ベルト181面に対してほぼ垂直面状に立ち揚げられる保留面182が形成されるとともにこの保留面182に対して反対側に傾斜面183が形成される保留突部184を有している。保留突部184の保留面182はパチンコ玉Ｐが納まりやすいように周縁部に対して中央部が凹む凹状に形成されている。この保留部120の位置に対応して、すなわち保留突部184の保留面182に近接する位置に、パチンコ玉計数手段109の投受光センサ141のセンサ光が通るセンサ孔185が開口形成されている。
【０１０６】
また、複数の仕切板152は、帯状体102の方向変換部151において、対向縁部157が平ベルト181の外周表面に接触して方向変換をガイドするように構成されている。
【０１０７】
そして、パチンコ玉Ｐの計数処理時には、パチンコ玉受入部域104に受け入れられたパチンコ玉Ｐが、複数の仕切板152間（パチンコ玉受入間隙部155）を通じて帯状体102の保留部120に１個ずつ受け入れられる。このとき、保留部120に受け入れられるパチンコ玉Ｐは、保留突部184の保留面182と平ベルト181のセンサ孔185との間に納められて、パチンコ玉計数部域105へ揚送される。
【０１０８】
また、方向変換部151において、複数の仕切板152によって平ベルト181の方向変換をガイドするため、平ベルト181の外表面に複数の保留部120が突設されていても、平ベルト181を円滑に方向変換させることができる。
【０１０９】
このように、帯状体102として簡単でかつ低コストで構成できる平ベルト181を用いるため、パチンコ玉計数装置71の簡素化および低コスト化を図れる。
【０１１０】
【発明の効果】
請求項１記載のパチンコ玉計数装置によれば、幅方向に複数列の保留部が形成された帯状体をパチンコ玉受入部域からパチンコ玉計数部域に回動させ、パチンコ玉受入部域において複数列の各保留部にパチンコ玉を１個ずつ受け入れ、パチンコ玉計数部域において複数列の各保留部内のパチンコ玉の有無をパチンコ玉計数手段で検知するため、下方位置で受け入れたパチンコ玉を複数列一度に揚送しつつ計数でき、パチンコ玉を受け入れて計数するまでのタイムラグを少なくできるとともに、多量のパチンコ玉でも計数に要する時間を短縮できる。しかも、パチンコ玉受入域から方向変換部にかけて設けた複数の仕切板によって複数列の保留部をその各列毎に対応して区画するため、パチンコ玉受入部域からパチンコ玉計数部域に姿勢を変える帯状体の複数列の各保留部へのパチンコ玉の納まりをよくでき、特に、残り少なくなったパチンコ玉が保留部へ納まらずに計数に時間がかかるのを防止できる。
【０１１１】
請求項２記載のパチンコ玉計数装置によれば、幅方向に複数列の保留部が形成された帯状体をパチンコ玉受入部域からパチンコ玉計数部域に回動させ、パチンコ玉受入部域において複数列の各保留部にパチンコ玉を１個ずつ受け入れ、パチンコ玉計数部域において複数列の各保留部内のパチンコ玉の有無をパチンコ玉計数手段で検知するため、下方位置で受け入れたパチンコ玉を複数列一度に揚送しつつ計数でき、パチンコ玉を受け入れて計数するまでのタイムラグを少なくできるとともに、多量のパチンコ玉でも計数に要する時間を短縮できる。しかも、方向変換部に対応して設けた複数の仕切板によって複数列の保留部をその各列毎に対応して区画するため、パチンコ玉受入部域からパチンコ玉計数部域に姿勢を変える帯状体の複数列の各保留部へのパチンコ玉の納まりをよくでき、特に、残り少なくなったパチンコ玉が保留部へ納まらずに計数に時間がかかるのを防止でき、さらに、仕切板が帯状体の回動方向に対応して揺動可能であるため、パチンコ玉の噛み込みや詰まりなどを防止できるとともにパチンコ玉の保留部への納まりを円滑にできる。
【０１１２】
請求項３記載のパチンコ玉計数装置によれば、請求項１記載のパチンコ玉計数装置の効果に加えて、帯状体として簡単でかつ低コストで構成できる平ベルトを用いるため、パチンコ玉計数装置の簡素化および低コスト化を図れる。
【０１１３】
請求項４記載のパチンコ玉計数装置によれば、請求項１ないし３いずれか記載のパチンコ玉計数装置の効果に加えて、タイミング検知手段でとられるタイミングに合わせて、投受光センサが透光状態、遮光状態のいずれにあるか確認することにより、各保留部内のパチンコ玉の有無を容易に検知できる。
【図面の簡単な説明】
【図１】  本発明の第１の実施の形態を示すパチンコ玉計数機およびパチンコ玉運搬用台車の一部の断面図である。
【図２】  同上パチンコ玉計数機およびパチンコ玉運搬用台車の断面図である。
【図３】  同上帯状体の一部の正面図である。
【図４】  同上パチンコ玉計数手段の説明図である。
【図５】  同上パチンコ玉計数手段の投受光センサおよびタイミング検知手段の出力波形の説明図である。
【図６】  同上パチンコ玉収容箱の分解状態の斜視図である。
【図７】  本発明の第２の実施の形態を示すパチンコ玉計数機の帯状体のパチンコ玉受入部域の一部の側面図である。
【図８】  本発明の第３の実施の形態を示すパチンコ玉計数機の帯状体のパチンコ玉受入部域の一部の側面図である。
【図９】  同上帯状体を示し、(a)は帯状体のパチンコ玉計数部域の一部の斜視図、(b)は帯状体のパチンコ玉計数部域の一部の側面図である。
【符号の説明】
101   パチンコ玉計数装置
102   帯状体
103   帯状体回動手段
104   パチンコ玉受入部域
105   パチンコ玉計数部域
109   パチンコ玉計数手段
120   保留部
141   投受光センサ
142   タイミング検知手段
151   方向変換部
152   仕切板
181   平ベルト
185   センサ孔
Ｐ    パチンコ玉
【図１】
0003679556.tif 000002
【図２】
0003679556.tif 000003
【図３】
0003679556.tif 000004
【図４】
0003679556.tif 000005
【図５】
0003679556.tif 000006
【図６】
0003679556.tif 000007
【図７】
0003679556.tif 000008
【図８】
0003679556.tif 000009
【図９】
0003679556.tif 000010